【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
電子決済サービス処理を実行するために、前記電子決済サービス処理に必要な第１のサービス情報集合をサーバにより受信するステップ（１１）と；
前記サーバにより、前記電子決済サービス処理が失敗であるか否かを特定し（５２）、肯定である場合、再決済入口を生成するか否かを、前記電子サービス処理の失敗のタイプに基づいて特定するステップであって、前記再決済入口は第２のサービス情報集合に関連付けることができ、前記第２のサービス情報集合は、前記第１のサービス集合中の前記決済サービス処理の失敗を引き起こした対応する要素が調整された後に形成される、前記特定するステップ（１２）と；
前記再決済入口を生成し（５２２）、前記再決済入口がトリガされた旨の指示を受信した後に、前記サーバにより、前記第２のサービス情報集合中の要素と第３のサービス情報集合中の要素とを用いて前記電子決済サービス処理を実行するステップであって、前記第３のサービス情報集合は、前記第１のサービス情報集合と前記第２のサービス情報集合との差集合である、前記実行するステップ（１３、５３）と；を備える、
電子決済サービス処理方法。
【請求項２】
前記サーバにより、前記再決済入口と前記第３のサービス情報集合との間にマッピング関係を確立するステップと；
前記再決済入口がトリガされた旨の前記指示を受信すると、前記サーバにより、前記マッピング関係に基づいて、前記第３のサービス情報集合を取得するステップと；をさらに備える、
請求項１に記載の方法。
【請求項３】
前記サーバにより、前記再決済入口と前記第３のサービス情報集合との間にマッピング関係を確立する前記ステップは：
前記再決済入口を生成している間又は生成後に、前記サーバにより一意の識別子を生成するステップ（２３１）と；
前記サーバにより、前記一意の識別子と前記第３のサービス情報集合との間のマッピング関係と、前記再決済入口と前記一意の識別子との間のマッピング関係とを確立するステップ（２３２）と；を備え、
前記再決済入口がトリガされた旨の前記指示を受信すると、前記サーバにより、前記マッピング関係に基づいて、前記第３のサービス情報集合を取得する前記ステップは：
前記再決済入口がトリガされた旨の前記指示を受信すると、前記再決済入口と前記一意の識別子との間の前記マッピング関係に基づいて前記一意の識別子を取得し、前記一意の識別子に基づいて前記第３のサービス情報集合を取得するステップを備える、
請求項２に記載の方法。
【請求項４】
前記一意の識別子とタイムスタンプとの間にマッピング関係が存在し、前記タイムスタンプは、前記一意の識別子が生成された時刻を記録するために用いられ、
前記再決済入口と前記一意の識別子との間のマッピング関係に基づいて前記一意の識別子を取得し、前記一意の識別子に基づいて前記第３のサービス情報集合を取得する前記ステップは：
前記一意の識別子を取得するステップの後に、前記一意の識別子に基づいて前記タイムスタンプを取得するステップ（３４ａ）と；
現在の時刻と、前記タイムスタンプにより記録された時刻との差が所定の時間閾値未満であるか否かを特定し（３４ｂ）、肯定である場合、前記一意の識別子に基づいて前記第３のサービス情報集合を取得するステップ（３４ｃ）と；を備える、
請求項３に記載の方法。
【請求項５】
前記一意の識別子とステータス情報との間にもマッピング関係が存在し、前記ステータス情報は、前記一意の識別子に基づいて前記第３のサービス情報集合が取得されたか否かを記録するために用いられ、
前記再決済入口と前記一意の識別子との間の前記マッピング関係に基づいて前記一意の識別子を取得し、前記一意の識別子に基づいて前記第３のサービス情報集合を取得する前記ステップは：
前記一意の識別子を取得した後に、前記一意の識別子に基づいて前記ステータス情報を取得するステップと；
前記一意の識別子に基づいて前記第３のサービス情報集合が取得されたか否かを、前記ステータス情報に基づいて特定し、否定である場合、前記一意の識別子に基づいて前記第３のサービス情報集合を取得するステップと；を備える、
請求項３に記載の方法。
【請求項６】
前記サーバにより、再決済入口を生成するか否かを、前記電子決済サービス処理の失敗のタイプに基づいて特定する前記ステップは：
前記サーバにより、前記電子決済サービス処理の失敗のタイプが不正確な電子決済認証情報であるか否かを特定し、否定である場合、前記再決済入口を生成するステップを備える、
請求項１に記載の方法。
【請求項７】
前記電子決済サービス処理が失敗であるか否かを特定するときに、否定である場合、前記サービス処理が成功した旨を示す情報を送信するステップ；
前記再決済入口を生成するか否かを、前記電子決済サービス処理の失敗のタイプに基づいて特定するときに、前記再決済入口を生成しないと特定された場合、前記電子決済サービス処理の失敗のタイプに対応するプロンプト情報を送信するステップ；又は、
前記電子決済サービス処理の失敗のタイプが不正確な電子決済認証情報であると特定されたときに、前記電子決済サービス処理を終わらせ、前記電子決済サービス処理の失敗のタイプに対応するプロンプト情報を送信するステップ；をさらに備える、
請求項１又は請求項６に記載の方法。
【請求項８】
サーバが前記電子決済サービス処理を実行できるよう、クライアントが、電子決済サービス処理に必要な第１のサービス情報集合を提出するステップ（８１）と；
前記電子決済サービス処理に失敗した場合、前記サーバが第２のサービス情報集合中の要素と第３のサービス情報集合中の要素とを用いて前記電子決済サービス処理を実行できるよう、前記クライアントが再決済入口をトリガするステップ（８２）と；を備え、
前記再決済入口は、サーバにより、電子決済サービス処理の失敗のタイプに基づいて生成され、前記第２のサービス情報集合に関連付けることができ、前記第２のサービス情報集合は、前記第１のサービス情報集合中の前記電子決済サービス処理の失敗を引き起こした対応する要素を前記サーバが調整した後に形成され、前記第３のサービス情報集合は、前記第１のサービス情報集合と前記第２のサービス情報集合との差集合である、
電子決済サービス処理方法。
【請求項９】
再決済入口をトリガする前記ステップは：
前記再決済入口に対応するウェブページハイパーリンクをクリックするステップ；及び／又は、
前記再決済入口に対応するタッチスクリーンボタンをタップするステップ；及び／又は、
振動認識、ジェスチャ認識、若しくは表情認識を介して前記再決済入口をトリガするステップ；を備える、
請求項８に記載の方法。
【請求項１０】
前記電子決済サービス処理の失敗は、選択された決済チャネルの残高不足、不正確な決済認証情報、操作タイムアウト、サーバ例外、又はネットワーク妨害を備える、
請求項１に記載の方法。
【請求項１１】
前記第３のサービス情報集合は、前記第１のサービス情報集合の空でない部分集合、例えば決済認証情報又は決済関連のプロトコル合意情報の１乃至複数を備える集合、を備える、
請求項１又は請求項１０に記載の方法。
【請求項１２】
前記第３のサービス情報集合は、前記第１のサービス情報集合内の前記電子決済サービス処理の失敗を引き起こすサービス情報以外のサービス情報を備える、
請求項１、請求項１０又は請求項１１のいずれか１項に記載の方法。
【請求項１３】
前記電子決済サービス処理方法は、電子決済方法を備え：
電子決済に必要な決済要素情報集合を受信して前記電子決済を実行するステップと；
前記電子決済が失敗であるか否かを特定し、肯定である場合、再決済入口を生成するか否かを前記電子決済の失敗のタイプに基づいて特定するステップであって、前記再決済入口は、前記電子決済の失敗を引き起こした決済要素が調整された後に形成された新たな決済要素に関連付けることができる、前記特定するステップと；
前記再決済入口を生成し、前記再決済入口がトリガされた旨を示す指示を受信した後に、新たな決済要素と、前記決済要素情報集合中の、前記電子決済の失敗を引き起こした決済要素以外の要素とを用いて再決済を実施するステップと；を備える、
請求項１に記載の方法。
【請求項１４】
再決済入口を生成するか否かを、前記電子決済サービス処理の失敗のタイプに基づいて特定するステップは：
前記電子決済が決済チャネルの残高不足が原因で失敗した場合、十分な残高を持つ決済チャネルに関連付けることができる再決済入口を生成するステップを備え、
この場合、前記再決済入口がトリガされた旨を示す指示を受信した後に、前記新たな決済要素と、前記決済要素情報集合中の、前記電子決済の失敗を引き起こした前記決済要素以外の要素とを用いて再決済を実施する前記ステップは：
前記再決済入口がトリガされた旨を示す前記指示を受信した後に、十分な残高を持つ前記決済チャネルと、前記決済要素情報集合中の前記決済チャネル以外の要素とを用いて再決済を実施するステップを備える、及び／又は、
電子決済が決済チャネルのサービスがビジー状態にあることが原因で失敗した場合、サービスがアイドル状態の決済チャネルに関連付けることができる再決済入口を生成するステップを備え、
この場合、前記再決済入口がトリガされた旨を示す指示を受信した後に、前記新たな決済要素と、前記決済要素情報集合中の、前記電子決済の失敗を引き起こしている決済要素以外の要素とを用いて再決済を実施する前記ステップは：
前記再決済入口がトリガされた旨を示す指示を受信した後に、前記アイドル状態の決済チャネルと、前記決済要素情報集合中の、前記ビジー状態の決済チャネル以外の要素とを用いて再決済を実施するステップを備える、
請求項１３に記載の方法。
【請求項１５】
請求項１乃至請求項１４のいずれか１項に記載の方法を実行するように構成された複数のユニットを備える、
電子決済サービス処理デバイス。
【手続補正２】
【補正対象書類名】明細書
【補正対象項目名】０１５１
【補正方法】変更
【補正の内容】
【０１５１】
上述のものは本願の一実施形態に過ぎず、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
電子決済サービス処理を実行するために、前記電子決済サービス処理に必要な第１のサービス情報集合をサーバにより受信するステップと；
前記サーバにより、前記電子決済サービス処理が失敗であるか否かを特定し、肯定である場合、再決済入口を生成するか否かを、前記電子サービス処理の失敗のタイプに基づいて特定するステップであって、前記再決済入口は第２のサービス情報集合に関連付けることができ、前記第２のサービス情報集合は、前記第１のサービス集合中の前記決済サービス処理の失敗を引き起こした対応する要素が調整された後に形成される、前記特定するステップと；
前記再決済入口を生成し、前記再決済入口がトリガされた旨の指示を受信した後に、前記サーバにより、前記第２のサービス情報集合中の要素と第３のサービス情報集合中の要素とを用いて前記電子決済サービス処理を実行するステップであって、前記第３のサービス情報集合は、前記第１のサービス情報集合と前記第２のサービス情報集合との差集合である、前記実行するステップと；を備える、
電子決済サービス処理方法。
［第２の局面］
前記サーバにより、前記再決済入口と前記第３のサービス情報集合との間にマッピング関係を確立するステップと；
前記再決済入口がトリガされた旨の前記指示を受信すると、前記サーバにより、前記マッピング関係に基づいて、前記第３のサービス情報集合を取得するステップと；をさらに備える、
第１の局面に記載の方法。
［第３の局面］
前記サーバにより、前記再決済入口と前記第３のサービス情報集合との間にマッピング関係を確立する前記ステップは：
前記再決済入口を生成している間又は生成後に、前記サーバにより一意の識別子を生成するステップと；
前記サーバにより、前記一意の識別子と前記第３のサービス情報集合との間のマッピング関係と、前記再決済入口と前記一意の識別子との間のマッピング関係とを確立するステップと；を備え、
前記再決済入口がトリガされた旨の前記指示を受信すると、前記サーバにより、前記マッピング関係に基づいて、前記第３のサービス情報集合を取得する前記ステップは：
前記再決済入口がトリガされた旨の前記指示を受信すると、前記再決済入口と前記一意の識別子との間の前記マッピング関係に基づいて前記一意の識別子を取得し、前記一意の識別子に基づいて前記第３のサービス情報集合を取得するステップを備える、
第２の局面に記載の方法。
［第４の局面］
前記一意の識別子とタイムスタンプとの間にマッピング関係が存在し、前記タイムスタンプは、前記一意の識別子が生成された時刻を記録するために用いられ、
前記再決済入口と前記一意の識別子との間のマッピング関係に基づいて前記一意の識別子を取得し、前記一意の識別子に基づいて前記第３のサービス情報集合を取得する前記ステップは：
前記一意の識別子を取得するステップの後に、前記一意の識別子に基づいて前記タイムスタンプを取得するステップと；
現在の時刻と、前記タイムスタンプにより記録された時刻との差が所定の時間閾値未満であるか否かを特定し、肯定である場合、前記一意の識別子に基づいて前記第３のサービス情報集合を取得するステップと；を備える、
第３の局面に記載の方法。
［第５の局面］
前記一意の識別子とステータス情報との間にもマッピング関係が存在し、前記ステータス情報は、前記一意の識別子に基づいて前記第３のサービス情報集合が取得されたか否かを記録するために用いられ、
前記再決済入口と前記一意の識別子との間の前記マッピング関係に基づいて前記一意の識別子を取得し、前記一意の識別子に基づいて前記第３のサービス情報集合を取得する前記ステップは：
前記一意の識別子を取得した後に、前記一意の識別子に基づいて前記ステータス情報を取得するステップと；
前記一意の識別子に基づいて前記第３のサービス情報集合が取得されたか否かを、前記ステータス情報に基づいて特定し、否定である場合、前記一意の識別子に基づいて前記第３のサービス情報集合を取得するステップと；を備える、
第３の局面に記載の方法。
［第６の局面］
前記サーバにより、再決済入口を生成するか否かを、前記電子決済サービス処理の失敗のタイプに基づいて特定する前記ステップは：
前記サーバにより、前記電子決済サービス処理の失敗のタイプが不正確な電子決済認証情報であるか否かを特定し、否定である場合、前記再決済入口を生成するステップを備える、
第１の局面に記載の方法。
［第７の局面］
前記電子決済サービス処理が失敗であるか否かを特定するときに、否定である場合、前記サービス処理が成功した旨を示す情報を送信するステップ；
前記再決済入口を生成するか否かを、前記電子決済サービス処理の失敗のタイプに基づいて特定するときに、前記再決済入口を生成しないと特定された場合、前記電子決済サービス処理の失敗のタイプに対応するプロンプト情報を送信するステップ；又は、
前記電子決済サービス処理の失敗のタイプが不正確な電子決済認証情報であると特定されたときに、前記電子決済サービス処理を終わらせ、前記電子決済サービス処理の失敗のタイプに対応するプロンプト情報を送信するステップ；をさらに備える、
第１又は６の局面に記載の方法。
［第８の局面］
サーバが前記電子決済サービス処理を実行できるよう、クライアントが、電子決済サービス処理に必要な第１のサービス情報集合を提出するステップと；
前記電子決済サービス処理に失敗した場合、前記サーバが第２のサービス情報集合中の要素と第３のサービス情報集合中の要素とを用いて前記電子決済サービス処理を実行できるよう、前記クライアントが再決済入口をトリガするステップと；を備え、
前記再決済入口は、サーバにより、電子決済サービス処理の失敗のタイプに基づいて生成され、前記第２のサービス情報集合に関連付けることができ、前記第２のサービス情報集合は、前記第１のサービス情報集合中の前記電子決済サービス処理の失敗を引き起こした対応する要素を前記サーバが調整した後に形成され、前記第３のサービス情報集合は、前記第１のサービス情報集合と前記第２のサービス情報集合との差集合である、
電子決済サービス処理方法。
［第９の局面］
再決済入口をトリガする前記ステップは：
前記再決済入口に対応するウェブページハイパーリンクをクリックするステップ；及び／又は、
前記再決済入口に対応するタッチスクリーンボタンをタップするステップ；及び／又は、
振動認識、ジェスチャ認識、若しくは表情認識を介して前記再決済入口をトリガするステップ；を備える、
第８の局面に記載の方法。
［第１０の局面］
電子決済に必要な決済要素情報集合を受信して前記電子決済を実行するステップと；
前記電子決済が失敗であるか否かを特定し、肯定である場合、再決済入口を生成するか否かを前記電子決済の失敗のタイプに基づいて特定するステップであって、前記再決済入口は、前記電子決済の失敗を引き起こした決済要素が調整された後に形成された新たな決済要素に関連付けることができる、前記特定するステップと；
前記再決済入口を生成し、前記再決済入口がトリガされた旨を示す指示を受信した後に、新たな決済要素と、前記決済要素情報集合中の、前記電子決済の失敗を引き起こした決済要素以外の要素とを用いて再決済を実施するステップと；を備える、
電子決済方法。
［第１１の局面］
再決済入口を生成するか否かを、前記電子決済サービス処理の失敗のタイプに基づいて特定する前記ステップは：
前記電子決済が決済チャネルの残高不足が原因で失敗した場合、十分な残高を持つ決済チャネルに関連付けることができる再決済入口を生成するステップを備え、
この場合、前記再決済入口がトリガされた旨を示す指示を受信した後に、前記新たな決済要素と、前記決済要素情報集合中の、前記電子決済の失敗を引き起こした前記決済要素以外の要素とを用いて再決済を実施する前記ステップは：
前記再決済入口がトリガされた旨を示す前記指示を受信した後に、十分な残高を持つ前記決済チャネルと、前記決済要素情報集合中の前記決済チャネル以外の要素とを用いて再決済を実施するステップを備える、及び／又は、
電子決済が決済チャネルのサービスがビジー状態にあることが原因で失敗した場合、サービスがアイドル状態の決済チャネルに関連付けることができる再決済入口を生成するステップ；を備え、
この場合、前記再決済入口がトリガされた旨を示す指示を受信した後に、前記新たな決済要素と、前記決済要素情報集合中の、前記電子決済の失敗を引き起こしている決済要素以外の要素とを用いて再決済を実施する前記ステップは：
前記再決済入口がトリガされた旨を示す指示を受信した後に、前記アイドル状態の決済チャネルと、前記決済要素情報集合中の、前記ビジー状態の決済チャネル以外の要素とを用いて再決済を実施するステップを備える、
第１０の局面に記載の方法。
［第１２の局面］
第１の受信ユニット、第１の判定ユニット、第１の特定ユニット、第２の受信ユニット、及び第１の処理ユニットを備え、
前記第１の受信ユニットは、電子決済サービス処理を実行するために、前記電子決済サービス処理に必要な第１のサービス情報集合を受信するように構成され；
前記第１の判定ユニットは、前記電子決済サービス処理が失敗であるか否かを判定し、肯定である場合、前記第１特定ユニットをトリガするように構成され；
前記第１の特定ユニットは、前記電子決済サービス処理に失敗した場合、再決済入口を生成するか否かを、前記電子決済サービス処理の失敗のタイプに基づいて特定するように構成され、前記再決済入口は第２のサービス情報集合に関連付けることができ、前記第２のサービス情報集合は、前記第１のサービス情報集合中の、前記電子決済サービス処理の失敗を引き起こした対応する要素が調整された後に形成され；
前記第２の受信ユニットは、前記再決済入口がトリガされた旨を示す指示を受信するように構成され；
前記第１の処理ユニットは、前記第２のサービス情報集合中の要素と第３のサービス情報集合中の要素とを用いて前記電子決済サービス処理を実行するように構成され、前記第３のサービス情報集合は、前記第１のサービス情報集合と前記第２のサービス情報集合との差集合である、
電子決済サービス処理デバイス。
［第１３の局面］
提出ユニット及びトリガユニットを備え、
前記提出ユニットは、前記電子決済サービス処理を実行できるようにするために、前記電子決済サービス処理に必要な第１のサービス情報ユニットを提出するように構成され；
前記トリガユニットは、前記電子決済サービス処理に失敗した場合、サーバが第２のサービス情報集合中の要素と第３のサービス情報集合中の要素とを用いて前記電子決済サービス処理を実行できるようにするために、再決済入口をトリガするように構成され；
前記再決済入口は、前記サーバにより、前記電子決済サービス処理の失敗のタイプに基づいて生成され、前記第２のサービス情報集合に関連付けることができ、前記第２のサービス情報集合は、前記サーバが前記第１のサービス集合中の前記電子決済サービス処理の失敗を引き起こしている対応する要素を調整した後に形成され、前記第３のサービス情報集合は、前記第１のサービス情報集合と前記第２のサービス情報集合との差集合である、
電子決済サービス処理デバイス。
［第１４の局面］
第３の受信ユニット、第２の判定ユニット、第２の特定ユニット、第４の受信ユニット及び第２の処理ユニットを備え、
前記第３の受信ユニットは、前記電子決済を実行するために、前記電子決済に必要な決済要素情報を受信するように構成され；
前記第２の判定ユニットは前記電子決済が失敗であるか否かを判定し、肯定である場合、前記第２の特定ユニットをトリガするように構成され；
前記第２の特定ユニットは、再決済入口を生成するか否かを前記電子決済の失敗のタイプに基づいて特定するように構成され、前記再決済入口は、前記電子決済の失敗を引き起こした決済要素が調整された後に形成された新たな決済要素に関連付けることができ；
前記第４の受信ユニットは、前記再決済入口がトリガされた旨を示す指示を受信するように構成され；
前記第２の処理ユニットは、前記新たな決済要素と、決済要素情報集合中の前記電子決済の失敗を引き起こしている前記決済要素以外の要素とを用いて再決済を実施するように構成される；
電子決済デバイス。